(57)【要約】      （修正有）【課題】ｍＶｏＩＰ端末のバッテリー節約システム及びバッテリー節約方法を提供する。【解決手段】ｍＶｏＩＰ端末１３は、ｍＶｏＩＰ電話プログラムを登録するために、位置登録要求信号をＶｏＩＰ交換器１０に送り、ＶｏＩＰ交換器１０は、その位置登録結果をｍＶｏＩＰ端末１３に送る。ｍＶｏＩＰ端末１３は、位置登録結果を受けてモバイルキーパー１４にキープアライブオン通知を行って、電話活性化モード状態に切り替える。ｍＶｏＩＰ端末１３は、電話活性化モード状態で、所定時間の間ＩＰ電話機１２または一般加入者で着信呼、発信呼またはｍＶｏＩＰ端末１３の使用者の入力確認信号がなければ、ＶｏＩＰ交換器１０に位置登録解除を要請する。ｍＶｏＩＰ端末１３は、位置登録解除を要請した後、モバイルキーパーにキープアライブオフを通知して、電話非活性化モードに切り替える。【選択図】図５
2013219755.tif 000002
【特許請求の範囲】
【請求項１】
ＩＰ電話機、ｍＶｏＩＰ端末、モバイルキーパー、ＡＰＮＳ／Ｃ２ＤＭ及びＶｏＩＰ交換器がイーサネットスイッチ通じてそれぞれ連動されて構成されたｍＶｏＩＰ端末のバッテリーの節約方法において、
ｍＶｏＩＰ端末のｍＶｏＩＰ電話プログラム（駆動アプリケーション）を登録するために、位置登録要求（Ｒｅｇｉｓｔｅｒ）信号を前記ＶｏＩＰ交換器に送って、その位置登録結果（２００ｏｋ）をｍＶｏＩＰ端末に送る第１段階と；
位置登録結果に対して、ｍＶｏＩＰ端末は、モバイルキーパーにキープアライブオンメッセージを送り、電話活性化モード状態に切り替える第２段階と；
ｍＶｏＩＰ端末は、電話活性化モード状態で、設定時間の間ＩＰ電話機または一般加入者で着信呼、発信呼またはｍＶｏＩＰ端末の使用者の入力確認信号がなければ、ＶｏＩＰ交換器に位置登録解除（ＤＥＲＥＧＩＳＴＥＲ）を要請する第３段階と；
ＶｏＩＰ交換器に位置登録解除（ＤＥＲＥＧＩＳＴＥＲ）を要請した後、モバイルキーパーにキープアライブオフを知らせて、電話非活性化モードに切り替える第４段階と；を含むことを特徴とするｍＶｏＩＰ端末のバッテリーの節約方法。
【請求項２】
ＩＰ電話機、ｍＶｏＩＰ端末、モバイルキーパー、ＡＰＮＳ／Ｃ２ＤＭ及びＶｏＩＰ交換器がイーサネットスイッチ通じてそれぞれ連動されて構成されたｍＶｏＩＰ端末のバッテリーの節約方法において、
ＩＰ電話機の呼要請信号によってＶｏＩＰ交換器がｍＶｏＩＰ端末の位置登録有無を確認し、ｍＶｏＩＰ端末の位置が未登録状態であれば、モバイルキーパーに着信呼要請信号（ＩＮＶＩＴＥ）を送る第１段階と；
モバイルキーパーは、ＶｏＩＰ交換器の着信呼要請信号によって、ｍＶｏＩＰ端末の活性化状態（ウェークアップ）の否かを確認し、ｍＶｏＩＰ端末が非活性化状態であれば、モバイルキーパーからｍＶｏＩＰ端末にプッシュメッセージを送って、ｍＶｏＩＰ端末をウェークアップする第２段階と；
前記ｍＶｏＩＰ端末は、モバイルキーパーの活性化要請信号によって、モバイルキーパーに認証要求（Ｅｎｒｏｌｌ  Ｒｅｑｕｅｓｔ）を送信し、認証結果（Ｅｎｒｏｌｌ  Ｒｅｓｐｏｎｓｅ）を受信して、位置登録要請信号を前記ＶｏＩＰ交換器に送る第３段階と；
ｍＶｏＩＰ端末の位置登録要請信号よって、ＶｏＩＰ交換器に送信された位置登録結果信号を受信して、モバイルキーパーにキープアライブオン通知をする第４段階と；
前記モバイルキーパーは、ｍＶｏＩＰ端末の位置登録結果のキープアライブオン信号を受信して、ＶｏＩＰ交換器に自動呼転送要請（３ｘｘ  Ｒｅｄｉｒｅｃｔｉｏｎ）信号を送る第５段階と；
ｍＶｏＩＰ端末はモバイルキーパーにキープアライブオンメッセージを送って、電話活性化モード状態に切り替える第６段階と；
ｍＶｏＩＰ端末は、電話活性化モード状態で、設定時間の間ＩＰ電話機または一般加入者で着信呼、発信呼またはｍＶｏＩＰ端末の使用者の入力確認信号がなければ、ＶｏＩＰ交換器に位置登録解除（ＤＥＲＥＧＩＳＴＥＲ）を要請する第７段階と；
ＶｏＩＰ交換器に位置登録解除（ＤＥＲＥＧＩＳＴＥＲ）を要請した後、モバイルキーパーにキープアライブオフ通知をして、電話非活性化モードに切り替える第８段階と；を含むことを特徴とするｍＶｏＩＰ端末のバッテリーの節約方法。
【請求項３】
ＩＰ電話機、ｍＶｏＩＰ端末、モバイルキーパー、ＡＰＮＳ／Ｃ２ＤＭ及びＶｏＩＰ交換器がイーサネットスイッチ通じてそれぞれ連動されて構成されたｍＶｏＩＰ端末のバッテリーの節約方法において、
ＩＰ電話機の呼要請信号によって、ＶｏＩＰ交換器がｍＶｏＩＰ端末の位置登録有無を確認する第１段階と；
前記ＶｏＩＰ交換器がｍＶｏＩＰ端末の位置が未登録状態であれば、モバイルキーパーに着信呼要請信号（ＩＮＶＩＴＥ）を送り、モバイルキーパーからｍＶｏＩＰ端末にプッシュメッセージを送って、ｍＶｏＩＰ端末をウェークアップする第２段階と；
前記ｍＶｏＩＰ端末が、モバイルキーパーの着信呼要請（ｉｎｖｉｔｅ）によってモバイルキーパーに認証要求（Ｅｎｒｏｌｌ  Ｒｅｑｕｅｓｔ）を送信し、認証結果（Ｅｎｒｏｌｌ  Ｒｅｓｐｏｎｓｅ）を受信して、前記ＶｏＩＰ交換器に位置登録要請信号を送り、前記ＶｏＩＰ交換器の位置登録結果信号を受信して、モバイルキーパーにキープアライブオン信号を送る第３段階と；
前記モバイルキーパーはｍＶｏＩＰ端末の位置登録結果のキープアライブオン信号を受信して、ＶｏＩＰ交換器に自動呼転送要請（３ｘｘ  Ｒｅｄｉｒｅｃｔｉｏｎ）信号を送る第４段階と；
ｍＶｏＩＰ端末はモバイルキーパーにキープアライブオンメッセージを送って、電話活性化モード状態に切り替え、電話活性化モード状態で、設定時間の間ＩＰ電話機または一般加入者で着信呼、発信呼またはｍＶｏＩＰ端末の使用者の入力確認信号がなければ、ＶｏＩＰ交換器に位置登録解除（ＤＥＲＥＧＩＳＴＥＲ）を要請する第５段階と；
ＶｏＩＰ交換器に位置登録解除（ＤＥＲＥＧＩＳＴＥＲ）を要請した後、モバイルキーパーにキープアライブオフ通知をして、電話非活性化モードに切り替える第６段階と；を含むことを特徴とするｍＶｏＩＰ端末のバッテリーの節約方法。
【請求項４】
前記ＶｏＩＰ交換器は、モバイルキーパーの自動呼転送要請（３ｘｘ  Ｒｅｄｉｒｅｃｔｉｏｎ）信号によってｍＶｏＩＰ端末にＩＰ加入者の呼が引入されたという信号（ｉｎｖｉｔｅ）を送信し、ｍＶｏＩＰ端末のフックオフ（ｈｏｏｋ−ｏｆｆ）信号によって通話路を設定する段階と；
ｍＶｏＩＰ端末の呼解除によって、ＶｏＩＰ交換器はＩＰ電話機で着信加入者呼解除要請を行い、ＶｏＩＰ端末は電話活性化モード状態で設定時間の間ＩＰ電話機または一般加入者で着信呼、発信呼またはｍＶｏＩＰ端末の使用者の入力確認信号がなければ、ＶｏＩＰ交換器に位置登録解除（ＤＥＲＥＧＩＳＴＥＲ）を要請する段階と；
ＶｏＩＰ交換器に位置登録解除（ＤＥＲＥＧＩＳＴＥＲ）を要請した後、モバイルキーパーにキープアライブオフ通知をして、電話非活性化モードに切り替える段階と；をさらに含むことを特徴とする請求項２または３に記載のｍＶｏＩＰ端末のバッテリーの節約方法。
【請求項５】
前記モバイルキーパーは、ＶｏＩＰ交換器に動呼転送要請（３ｘｘ  Ｒｅｄｉｒｅｃｔｉｏｎ）信号を送信の時、最初発信端末の電話番号、使用者の名前情報、最終着信端末の電話番号及びＶｏＩＰ網で位置された中継ノードのための付属情報がコピーされて送信されるように構成されることを特徴とする請求項２または３に記載のｍＶｏＩＰ端末のバッテリーの節約方法。
【請求項６】
ｍＶｏＩＰ端末のｍＶｏＩＰアプリケーションが未登録状態であれば、Ｌ２スィッチを通じて位置登録信号を送り、Ｌ２スィッチを通じて前記ｍＶｏＩＰ端末に位置登録結果メッセージを送って、前記ｍＶｏＩＰ端末をウェークアップするＶｏＩＰ交換器と；
Ｌ２スィッチを通じて登録要請によってＶｏＩＰ交換器から認証ＯＫ通知を受けると、Ｌ２スィッチを通じてＶｏＩＰ交換器から位置登録要請による結果としてＯＫメッセージを受信すると、モバイルキーパーにキープアライブオン通知をし、電話活性化状態にする前記ｍＶｏＩＰ端末と；
発信ＩＰ電話機で着信呼要請信号が前記ＶｏＩＰ交換器に送信されると、着信呼要請によってｍＶｏＩＰ端末にプッシュメッセージを送り、ｍＶｏＩＰ端末の認証要求（Ｅｎｒｏｌｌ  Ｒｅｑｕｅｓｔ）をして認証結果を送って、ｍＶｏＩＰ端末の位置登録要請によってＶｏＩＰ交換器から位置登録結果としてキープアライブオン通知が送信される前記モバイルキーパーと；を含み、
前記ＶｏＩＰ交換器は、前記ｍＶｏＩＰ端末にｍＶｏＩＰ加入者に呼が引入されたという信号（ＩＮＶＩＴＥ）を送って通話が正常に行われるようにすることを特徴とする請求項２または３に記載のｍＶｏＩＰ端末のバッテリーの節約システム。
【請求項７】
前記ＶｏＩＰ交換器は、
前記ＩＰ電話機（一般加入者含む）の前記ＶｏＩＰ交換器を通じて、ｍＶｏＩＰ端末の着信呼要求の時、ｍＶｏＩＰ端末のｍＶｏＩＰアプリケーションが未登録状態であれば、モバイルキーパー（１４）にＩＰ電話機から着信呼が引入されたという信号（ＩＮＶＩＴＥ）を送出すことによって、ＡＰＮＳ／Ｃ２ＤＭを通じてｍＶｏＩＰ端末にプッシュメッセージを送って、ｍＶｏＩＰアプリケーションを活性化するように構成されたことを特徴とする請求項６に記載のｍＶｏＩＰ端末のバッテリーの節約システム。
【請求項８】
前記モバイルキーパーは、
前記ＶｏＩＰ交換器に呼解除要請信号をＬ２スィッチを通じて送って、着信ＩＰ電話機と呼解除を完了し、呼解除手続き後、所定時間の間発信、着信電話または使用者入力確認手続きを行い、入力される情報がなければ、ｍＶｏＩＰ端末からＶｏＩＰ交換器にＬ２スィッチを通じて位置登録解除を要請し、解除された位置登録結果をキープアライブオフを受けて登録状態を終了し、登録状態が終了されることによって、ｍＶｏＩＰ端末の位置登録のために所要されるバッテリーの消耗を節約するように構成されたことを特徴とする請求項６に記載のｍＶｏＩＰ端末のバッテリーの節約システム。
【請求項９】
ＶｏＩＰ交換器が、ｍＶｏＩＰ端末のｍＶｏＩＰアプリケーションが未登録状態であれば、Ｌ２スィッチを通じて位置登録信号を送り、Ｌ２スィッチを通じて前記ｍＶｏＩＰ端末に位置登録結果メッセージを送って前記ｍＶｏＩＰ端末をウェークアップする第１段階と；
前記ｍＶｏＩＰ端末が、前記Ｌ２スィッチを通じて位置登録要請信号を送り、前記ＶｏＩＰ交換器から位置登録（ＲＥＧＩＳＴＥＲ）要請による結果としてＯＫメッセージを前記Ｌ２スィッチを通じて受けると、前記モバイルキーパーにキープアライブオン通知を行う第２段階と；
前記ＶｏＩＰ交換器は、発信ＩＰ電話機で着信呼要請信号が送信されると、着信呼要請によって、ｍＶｏＩＰ端末の位置登録有無を確認するためにモバイルキーパーに着信呼要請信号を送る第３段階と；
前記モバイルキーパーは、ＶｏＩＰ交換器の着信呼要請信号によって、ｍＶｏＩＰ端末の認証要求のためにプッシュメッセージを送って、ｍＶｏＩＰ端末の認証要求（Ｅｎｒｏｌｌ  Ｒｅｑｕｅｓｔ）を行い、認証結果を送る第４段階と；
前記ＶｏＩＰ交換器は、ｍＶｏＩＰ端末の位置登録要請によって位置登録結果をｍＶｏＩＰ端末に送り、ｍＶｏＩＰ端末は位置登録結果としてモバイルキーパーにキープアライブオン通知を送って、位置登録手続きを行って電話活性化状態に変換する第５段階と；
前記ＶｏＩＰ交換器は、前記ｍＶｏＩＰ端末にｍＶｏＩＰ加入者に呼が引入されたという信号を送って、通話が正常に行われるようにする第６段階と；
通話が終了されると、前記ｍＶｏＩＰ端末が、前記Ｌ２スィッチを通じてＶｏＩＰ交換器に呼解除要請を行い、呼解除手続き後、所定時間の間発信、着信電話または使用者入力確認手続きを行い、入力される情報がなければ、ＶｏＩＰ交換器にＬ２スィッチを通じて位置登録解除を要請し、解除された位置登録結果としてモバイルキーパーにキープアライブオフ通知を送って位置登録状態を終了する第７段階と；を含むことを特徴とするｍＶｏＩＰ端末のバッテリー節約方法。
【請求項１０】
前記第３段階において、
発信ＩＰ電話機の着信呼要請によって、ｍＶｏＩＰ端末のｍＶｏＩＰアプリケーションが未登録状態であれば、モバイルキーパーにＩＰ電話機から着信呼が引入されたという信号（ＩＮＶＩＴＥ）を送信することによって、ＡＰＮＳ／Ｃ２ＤＭを通じてｍＶｏＩＰ端末にプッシュメッセージを送って、ｍＶｏＩＰアプリケーションを活性化することを特徴とする請求項９に記載のｍＶｏＩＰ端末のバッテリーの節約方法。
【発明の詳細な説明】
【技術分野】
【０００１】
本発明はｍＶｏＩＰ端末のバッテリーの節約システム及びバッテリーの節約方法に関するもので、さらに詳しくは、ｍＶｏＩＰ端末の使用時、バッテリーが過多に消耗される現象を防止するために、ｍＶｏＩＰ端末の電話発信の時、活性化／非活性化手段、及びｍＶｏＩＰ端末の着信の時、ブリッジ加入者またはシングル加入者の場合、活性化／非活性化手段を通じて、無線ＶｏＩＰ端末は既存の周期的位置登録による常時活性化方法ではなく、発信及び着信電話活性化モード時間の間だけ駆動することによってバッテリーを節約するｍＶｏＩＰ端末のバッテリーの節約システム及びバッテリーの節約方法に関する。
【背景技術】
【０００２】
Ｇ．７２３．１Ａ，Ｇ．７２９Ｂ及び３ＧＰＰ適応性マルチレート（ＡＭＲ）のような現在の向上された音声コーデックスは、無駄な帯域幅を無くすために、音声パケットが沈黙（ｓｉｌｅｎｃｅ）期間の間に送信されることを防止する沈黙抑制方式を利用することができる。統計的に、沈黙期間は、ＶｏＩＰ（ボイスオーバーインターネットプロトコル：Ｖｏｉｃｅ  ｏｖｅｒＩｎｔｅｒｎｅｔ  Ｐｒｏｔｏｃｏｌ）呼び出しの全体期間のうちの約６０％を占める。従って、モバイルステーション（ＭＳ）であるｍＶｏＩＰ端末は、このような期間の間休眠（ｓｌｅｅｐ）になることができれば、さらに多くのエネルギーを節約することができる。しかし、ＶｏＩＰサービスのために用いられる既存の省電力クラス（ＰＳＣ）ＩＩは、ＶｏＩＰトラフィックの沈黙期間を考慮せず、また、ｍＳは音声パケットを受信せずとも、沈黙期間の間に周期的にウェークアップ（ｗａｋｅ  ｕｐ）される。
【０００３】
一般の無線ＶｏＩＰ端末のバッテリーの節約方法を説明すると、ｍＶｏＩＰで通話をするためには、ＶｏＩＰ交換器１０、イーサネットスイッチ１１、ＩＰ電話機１２、ｍＶｏＩＰ端末１３、モバイルキーパー１４で構成されて動作する。
【０００４】
上記の構成によって、図１に示すように、現在のｍＶｏＩＰ端末１３のアプリケーションは正常動作中であるかバックグラウンド（Ｂａｃｋｇｒｏｕｎｄ）モードでもＶｏＩＰ交換器１０で設定された周期で周期的に位置登録をするが、この時、位置登録結果によってバッテリーの消耗が非常に多くなる。また、図２に示すように、モバイルキーパー１４はＶｏＩＰ交換器１０に設定された周期で位置登録Ｓ２、Ｓ３をしてこそサービスを提供して受けることができ、位置登録によるバッテリーの消耗が発生する問題点がある。
【０００５】
また、無線ＶｏＩＰ端末のバッテリーの節約方法の他の一実施例による手続きを説明すると、ｍＶｏＩＰで通話をするためには、ＶｏＩＰ交換器１０、Ｌ２スィッチ１１、ＩＰ電話機１２、ｍＶｏＩＰ端末１３で構成されて動作する。
【０００６】
上記の構成によって、図３に示すように、現在のｍＶｏＩＰ端末１３のアプリケーションは動作が正常であるかバックグラウンド（Ｂａｃｋｇｒｏｕｎｄ）モードでもＬ２スィッチ１１で設定された周期で周期的に位置登録（Ｓ１０、Ｓ１１）をする。この時、位置登録結果（Ｓ１２、Ｓ１３）によるバッテリーの消耗が非常に多い。
【０００７】
これによって、本発明が属する技術分野において、ウェークアップによってｍＶｏＩＰ端末の使用時、バッテリーが過多に消耗されることを予防するための技術開発が要求されている。
【発明の概要】
【発明が解決しようとする課題】
【０００８】
本発明は上記の問題点を解決するために案出されたもので、ｍＶｏＩＰ端末の電話発信の時、活性化／非活性化手段、及びｍＶｏＩＰ端末の着信の時、ブリッジ加入者またはシングル加入者の場合、活性化／非活性化手段を通じて、無線ＶｏＩＰ端末は既存の周期的位置登録による常時活性化方法ではなく、発信及び着信電話活性化モードの時間の間だけ駆動することによってバッテリーを節約するｍＶｏＩＰ端末のバッテリーの節約システム及びバッテリーの節約方法を提供することを目的とする。
【課題を解決するための手段】
【０００９】
上記目的を達するために、本発明の特徴によれば、ＩＰ電話機、ｍＶｏＩＰ端末、モバイルキーパー、ＡＰＮＳ／Ｃ２ＤＭ及びＶｏＩＰ交換器がイーサネットスイッチを通じてそれぞれ連動して構成されたｍＶｏＩＰ端末のバッテリーの節約方法において、ｍＶｏＩＰ端末のｍＶｏＩＰ電話プログラム（駆動アプリケーション）を登録するために、位置登録要求（Ｒｅｇｉｓｔｅｒ）信号を上記ＶｏＩＰ交換器に送って、その位置登録結果（２００ｏｋ）をｍＶｏＩＰ端末に送る第１段階と；位置登録結果に対してｍＶｏＩＰ端末はモバイルキーパーにキープアライブオン（ＫｅｅＰＡｌｉｖｅ  ｏｎ）メッセージを送って、電話活性化モード状態に切り替える第２段階と；ｍＶｏＩＰ端末は、電話活性化モード状態で、設定時間の間ＩＰ電話機または一般加入者で着信呼、発信呼またはｍＶｏＩＰ端末の使用者の入力確認信号がなければ、ＶｏＩＰ交換器に位置登録解除（ＤＥＲＥＧＩＳＴＥＲ）を要請する第３段階と；ＶｏＩＰ交換器に位置登録解除（ＤＥＲＥＧＩＳＴＥＲ）を要請した後、モバイルキーパーにキープアライブオフ（ＫｅｅＰＡｌｉｖｅ  Ｏｆｆ）を通知して、電話非活性化モードに切り替える第４段階と；を含むｍＶｏＩＰ端末のバッテリーの節約方法を提供する。
【発明の効果】
【００１０】
本発明の実施例によるｍＶｏＩＰ端末のバッテリーの節約システム及びバッテリーの節約方法は、ｍＶｏＩＰ端末の使用時、バッテリーが過多に消耗される現象を防止することができる効果を奏する。
【００１１】
本発明の実施例によるｍＶｏＩＰ端末のバッテリーの節約システム及びバッテリーの節約方法は、ｍＶｏＩＰ端末の電話発信の時、活性化／非活性化手段、及びｍＶｏＩＰ端末の着信の時、ブリッジ加入者またはシングル加入者の場合、活性化／非活性化手段を通じて、無線ＶｏＩＰ端末は既存の周期的位置登録による常時活性化方法ではなく、発信及び着信電話の活性化モード時間の間だけ駆動することによってバッテリーを節約する無線端末のバッテリーの消耗を画期的に抑制することができる。
【図面の簡単な説明】
【００１２】
【図１】本発明の実施例によるｍＶｏＩＰ端末のバッテリーの節約方法と比較するために従来技術によるｍＶｏＩＰ端末のバッテリーの消耗を説明するための図面である。
【図２】本発明の実施例によるｍＶｏＩＰ端末のバッテリーの節約方法と比較するために従来技術によるｍＶｏＩＰ端末のバッテリーの消耗を説明するための図面である。
【図３】本発明の他の一実施例によるｍＶｏＩＰ端末のバッテリーの節約方法と比較するために従来技術によるｍＶｏＩＰ端末のバッテリーの消耗を説明するための図面である。
【図４】本発明の実施例によるｍＶｏＩＰ端末のバッテリーの節約システムの構成を示した図面である。
【図５】本発明の実施例によるｍＶｏＩＰ端末のバッテリーの節約方法において着信ｍＶｏＩＰ加入者の登録手続きを示したフローチャートである。
【図６】本発明の実施例によるｍＶｏＩＰ端末のバッテリーの節約方法において発信加入者呼要請の時ブリッジ着信加入者の位置登録手続きを示したフローチャートである。
【図７】本発明の実施例によるｍＶｏＩＰ端末のバッテリーの節約方法において発信加入者呼要請の時シングル着信加入者の位置登録手続きを示したフローチャートである。
【図８】本発明の実施例によるｍＶｏＩＰ端末のバッテリーの節約方法におけるコール節約方法を示したフローチャートである。
【図９】本発明の他の一実施例によるｍＶｏＩＰ端末のバッテリーの節約システムの構成を示した図面である。
【図１０】本発明の他の一実施例によるｍＶｏＩＰ端末のバッテリーの節約方法において着信ｍＶｏＩＰ加入者の登録手続きを示したフローチャートである。
【図１１】本発明の他の一実施例によるｍＶｏＩＰ端末のバッテリーの節約方法において発信加入者が呼要請の時着信加入者の位置登録手続きを示したフローチャートである。
【図１２】本発明の他の一実施例によるｍＶｏＩＰ端末のバッテリーの節約方法におけるコール節約方法を示したフローチャートである。
【発明を実施するための形態】
【００１３】
以下、本発明の好ましい実施例の詳細な説明は添付された図面を参照して説明する。以下で本発明を説明するにおいて、係わる公知機能または構成に対する具体的な説明が本発明の要旨を不必要に曖昧にする虞があると判断される場合には、その詳細な説明を省略する。
【００１４】
本明細書においては、ある一つの構成要素が他の構成要素にデータまたは信号を「送信」する場合には、構成要素は他の構成要素に直接上記データまたは信号を送信することができ、少なくとも一つのまた他の構成要素を通じてデータまたは信号を他の構成要素に送信することができることを意味する。
【００１５】
図４は本発明の実施例によるｍＶｏＩＰ端末のバッテリーの節約システムを示す図面である。図１によれば、ｍＶｏＩＰ端末のバッテリーの節約システムは、ＶｏＩＰ交換器１０、イーサネットスイッチ１１、ＩＰ電話機１２、ｍＶｏＩＰ端末１３、モバイルキーパー１４（Ｍｏｂｉｌｅ  Ｋｅｅｐｅｒ）、ＡＰＮＳ／Ｃ２ＤＭ１５及びＰＳＴＮ網１６を含む。
【００１６】
より詳しくは、ＩＰ電話機１２、ｍＶｏＩＰ端末１３、モバイルキーパー１４及びＶｏＩＰ交換器１０はイーサネットスイッチ１１を通じてそれぞれ連動されている。
【００１７】
ＶｏＩＰ交換器１０は、ソフトスイッチ（Ｓｏｆｔｓｗｉｔｃｈ）、ホスト型ＩＰ−ＢＸ、ハイブリッドＩＰ−ＰＢＸ、プロキシ（Ｐｒｏｘｙ）を含む幅広い概念である。イーサネットスイッチ１１はレイヤ２で認識されて来たスイッチング方式でレイヤ３のルーター機能を提供する。
【００１８】
ＶｏＩＰ交換器１０は、ｍＶｏＩＰ端末１３のｍＶｏＩＰアプリケーションを登録するために、位置登録要求（Ｒｅｇｉｓｔｅｒ）信号が引入されると、位置登録結果（２００ｏｋ）をｍＶｏＩＰ端末１３に送り、位置登録結果に対して、ｍＶｏＩＰ端末１３はモバイルキーパー１４にキープアライブメッセージを送る。以後、ｍＶｏＩＰ端末１３は、電話活性化状態に転換される。所定時間の間、発信または着信または使用者の入力が確認されないと、ＶｏＩＰ交換器１０に位置登録解除（ＤＥＲＥＧＩＳＴＥＲ）信号を送り、上記モバイルキーパー１４に位置登録解除によるキープアライブオフ信号を送って、電話非活性化状態に切り替える。
【００１９】
また、ＶｏＩＰ交換器１０は、ｍＶｏＩＰ端末１３のｍＶｏＩＰアプリケーションが未登録状態であれば、モバイルキーパー１４にＩＰ電話機１２から呼が引入されたという信号（ＩＮＶＩＴＥ）を送って、ＡＰＮＳ／Ｃ２ＤＭ１５を通じてｍＶｏＩＰ端末１３にプッシュ（Ｐｕｓｈ）メッセージを送ってｍＶｏＩＰ端末１３をウェークアップする。
【００２０】
ＶｏＩＰ交換器１０はｍＶｏＩＰ端末１３にｍＶｏＩＰ加入者に呼が引入されたという信号（ＩＮＶＩＴＥ）を送って、通話が正常に行われるようにする機能をする。
【００２１】
一方、ＶｏＩＰ交換器１０は、ＩＰ電話機１２からＶｏＩＰ交換器１０にｍＶｏＩＰ端末１３の情報を含むパケットを送信することによって、ｍＶｏＩＰ端末１３の状態が未登録（Ｎｏｔ  Ｒｅｇｉ）状態であれば、着信要請パケット（ｉｎｖｉｔｅ）をモバイルキーパー１４に送る機能を果たす。
【００２２】
また、ＶｏＩＰ交換器１０は、ｍＶｏＩＰ端末１３のｍＶｏＩＰアプリケーションが登録状態であれば、ＩＰ電話機１２の発信者とｍＶｏＩＰ端末１３の着信者との間の通話路を設定して、通話が正常に行われるようにする。
【００２３】
ＩＰ電話機（ＩＰＰｈｏｎｅ）１２はソフトフォン（Ｓｏｆｔ  Ｐｈｏｎｅ）を含む概念である。
【００２４】
ｍＶｏＩＰ端末１３は  ＥｎＳｏＰとも言う。ｍＶｏＩＰ端末１３はＶｏＩＰ交換器１０に位置登録要請信号を送信して、ＶｏＩＰ交換器１０から認証ＯＫ通知を受けると、イーサネットスイッチ１１を通じてＶｏＩＰ交換器１０から位置登録（ＲＥＧＩＳＴＥＲ）要請による結果としてＯＫメッセージを受けると、モバイルキーパー１４にキープアライブ通知をする機能を果たし、電話活性化モードに切り替えた後、所定時間の間、発信、着信または使用者の入力が確認されないと、ＶｏＩＰ交換器１０に位置登録解除（ＤＥＲＥＧＩＳＴＥＲ）信号を送り、上記モバイルキーパー１４に位置登録解除によるキープアライブオフ信号を送って、電話非活性化モードに切り替える。
【００２５】
一方、ｍＶｏＩＰ端末１３がブリッジ着信加入者である場合、ＩＰ電話機１２の着信呼要求によって、ＶｏＩＰ交換器１０はモバイルキーパーに着信呼要請（ＩＮＶＩＴＥ）信号を送り、モバイルキーパー１４はｍＶｏＩＰアプリケーションの活性化のためにｍＶｏＩＰ端末１３にプッシュメッセージが送信されると、ｍＶｏＩＰ端末１３は認証要求（Ｅｎｒｏｌｌ  Ｒｅｑｕｅｓｔ）をし、モバイルキーパー１４から認証結果（Ｅｎｒｏｌｌ  Ｒｅｓｐｏｎｓｅ）を受信すると、認証結果に対する受諾をして、ＶｏＩＰ交換器１０に登録要求（ＲＥＧＩＳＴＥＲ）メッセージを送り、ＶｏＩＰ交換器１０から登録に対するＯＫ通知（２００ＯＫ）を受けると、モバイルキーパー１４にキープアライブメッセージを送って、電話活性化モードに切り替える。
【００２６】
ｍＶｏＩＰ端末１３は着信要求（ｉｎｖｉｔｅ）を受けたｍＶｏＩＰ端末１３で、ＶｏＩＰ交換器１０への応答に応じて、ＩＰ電話機１２と正常に通話する。
【００２７】
また、ｍＶｏＩＰ端末１３のシングル着信加入者である場合、ＩＰ電話機１２の着信呼要求によってＶｏＩＰ交換器１０で着信呼要請（ＩＮＶＩＴＥ）信号に対してモバイルキーパー１４に着信呼要請（ＩＮＶＩＴＥ）をし、モバイルキーパー１４でｍＶｏＩＰアプリケーションの活性化のためにプッシュメッセージが送信されると、認証要求（Ｅｎｒｏｌｌ  Ｒｅｑｕｅｓｔ）をし、モバイルキーパー１４から認証結果（Ｅｎｒｏｌｌ  Ｒｅｓｐｏｎｓｅ）を受信すると、認証結果に対してＶｏＩＰ交換器１０に位置登録要求（ＲＥＧＩＳＴＥＲ）メッセージを送り、ＶｏＩＰ交換器１０から登録に対するＯＫ通知（２００ＯＫ）を受信すると、モバイルキーパー１４にキープアライブメッセージを送って、電話活性化モードに切り替える。
【００２８】
ｍＶｏＩＰ端末１３は、着信要求（ｉｎｖｉｔｅ）を受けたｍＶｏＩＰ端末１３で、ＶｏＩＰ交換器１０への応答に応じて、ＩＰ電話機１２と正常に通話する。
【００２９】
モバイルキーパー１４は、ｍＶｏＩＰ端末１３に対してフォン認証を行うサーバーで、モバイルキーパー１４はＶｏＩＰ交換器１０に自動転送（Ｃａｌｌ  Ｆｏｒｗａｒｄｉｎｇ）（呼転換）信号３０２（ｍｏｖｅｄ  Ｔｅｍｐｏｒａｒｉｌｙ）を送って呼が転換されるようにする。
【００３０】
ＡＰＮＳ／Ｃ２ＤＭ１５はＡＰＮＳとＣ２ＤＭを含む概念で、ＡＰＮＳはアイフォンプッシュサービス（Ａｐｐｌｅ  Ｐｕｓｈ  ＮｏｔｉｆｉｃａｔｉｏｎＳｅｒｖｉｃｅ）を意味し、Ｃ２ＤＭはアンドロイドプッシュサービス（Ｃｌｏｕｄ  ｔｏ  Ｄｅｖｉｃｅｍｅｓｓａｇｉｎｇ）を意味する。
【００３１】
図５は本発明の実施例によるｍＶｏＩＰ端末のバッテリーの節約方法において、ｍＶｏＩＰ端末の発信の時の登録手続きを示したフローチャートである。図４及び５を参照してその動作を詳しく説明すれば、ｍＶｏＩＰ端末１３は電話プログラム（駆動アプリケーション）を可動して、ＶｏＩＰ交換器１０に位置登録（ＲＥＧＩＳＴＥＲ）を要請し、結果としてＯＫメッセージ（２００ＯＫ）をＶｏＩＰ交換器１０から受けると、モバイルキーパー１４にキープアライブオン通知を行う。
【００３２】
その後、上記ｍＶｏＩＰ端末１３は電話活性化モードに入る。電話活性化モード状態で所定時間の間ＩＰ電話機１２または一般加入者で着信呼、発信呼またはｍＶｏＩＰ端末１３の使用者の入力が確認されないと、ＶｏＩＰ交換器１０に位置登録解除（ＤＥＲＥＧＩＳＴＥＲ）を要請し、モバイルキーパー１４にキープアライブオフを通知して、電話非活性化モードに切り替える。
【００３３】
図６は本発明の実施例によるｍＶｏＩＰ端末のバッテリーの節約方法において、ｍＶｏＩＰ端末の着信の時、ブリッジ加入者である場合の登録手続きを示したフローチャートある。図４及び図６を参照してその動作を詳しく説明すれば、ＩＰ電話機１２（一般加入者含む）から着信呼要求を受けたＶｏＩＰ交換器１０は着信ｍＶｏＩＰ端末１３の位置登録有無を確認する。
【００３４】
ＶｏＩＰ交換器１０の着信ｍＶｏＩＰ端末１３の位置登録有無によって位置登録が正常に登録されていれば、着信連結をして、正常呼処理手続きを行い、未登録状態であれば、ＩＰ電話機１２の着信呼要求によってＶｏＩＰ交換器１０の着信呼要請（ＩＮＶＩＴＥ）信号をモバイルキーパー１４に送り、モバイルキーパー１４はｍＶｏＩＰ端末１３のｍＶｏＩＰアプリケーション活性化有無を確認し、非活性化状態であれば、ｍＶｏＩＰ端末１３にプッシュメッセージが送って、ｍＶｏＩＰ端末１３に認証要求（Ｅｎｒｏｌｌ  Ｒｅｑｕｅｓｔ）をし、モバイルキーパー４から認証結果（Ｅｎｒｏｌｌ  Ｒｅｓｐｏｎｓｅ）を受信して認証結果に対する受諾をすれば、ＶｏＩＰ交換器１０に位置登録要求（ＲＥＧＩＳＴＥＲ）メッセージを送り、ＶｏＩＰ交換器１０から登録に対するＯＫ通知（２００ＯＫ）を受けると、モバイルキーパー１４にキープアライブメッセージを送って、電話活性化モードに切り替える。
【００３５】
ｍＶｏＩＰ端末１３のキープアライブオンメッセージに対して、モバイルキーパー１４はＶｏＩＰ交換器１０に自動呼転送要請（３ｘｘ  Ｒｅｄｉｒｅｃｔｉｏｎ）を送る。
【００３６】
上記ＶｏＩＰ交換器１０に自動呼転送（３ｘｘ  Ｒｅｄｉｒｅｃｔｉｏｎ）信号を送信する時、最初発信端末の電話番号、使用者の名前情報、最終着信端末の電話番号及びＶｏＩＰ網で位置された中継ノードのための付属情報がコピーされて送信される。
【００３７】
一方、ｍＶｏＩＰ端末１３の電話活性化モードで、所定時間の間、ＩＰ電話機１２または一般加入者で着信呼、発信呼またはｍＶｏＩＰ端末１３の使用者の入力が確認されないと、ＶｏＩＰ交換器１０に位置登録解除（ＤＥＲＥＧＩＳＴＥＲ）を要請し、モバイルキーパー１４にキープアライブオフを通知して、電話非活性化モードに切り替える。
【００３８】
ｍＶｏＩＰ端末１３の活性化モードで、ＩＰ電話機１２の着信要求に対してＶｏＩＰ交換器１０の通話路を設定することによってＩＰ電話機１２と正常に通話をする。
【００３９】
図７は本発明の実施例によるｍＶｏＩＰ端末のバッテリーの節約方法において、ｍＶｏＩＰ端末のシングル加入者である場合の登録手続きを示したフローチャートである。図４及び図７を参照してその動作を説明すれば、ＩＰ電話機１２（一般加入者含む）から着信呼要求を受けたＶｏＩＰ交換器１０着信ｍＶｏＩＰ端末１３の位置登録有無を確認する。
【００４０】
ＶｏＩＰ交換器１０の着信ｍＶｏＩＰ端末１３の位置登録有無によって位置登録が正常に登録されていれば、着信連結をして、正常呼処理手続きを行い、未登録状態であれば、ＩＰ電話機１２の着信呼要求によって、ＶｏＩＰ交換器１０の着信呼要請（ＩＮＶＩＴＥ）信号をモバイルキーパー１４に送り、モバイルキーパー１４はｍＶｏＩＰ端末１３のｍＶｏＩＰアプリケーション活性化のために、ｍＶｏＩＰ端末１３にプッシュメッセージを送り、ｍＶｏＩＰ端末１３に認証要求（Ｅｎｒｏｌｌ  Ｒｅｑｕｅｓｔ）をし、ｍＶｏＩＰ端末１３がモバイルキーパー１４から認証結果（Ｅｎｒｏｌｌ  Ｒｅｓｐｏｎｓｅ）を受信すると、認証結果に対する受諾に対してＶｏＩＰ交換器１０に位置登録要求（ＲＥＧＩＳＴＥＲ）メッセージを送り、ＶｏＩＰ交換器１０から登録に対するＯＫ通知（２００ＯＫ）を受信すると、モバイルキーパー１４にキープアライブメッセージを送って、電話活性化モードに切り替える。
【００４１】
ｍＶｏＩＰ端末１３のキープアライブオンメッセージに対して、モバイルキーパー１４はＶｏＩＰ交換器１０に自動呼転送要請（３ｘｘ  Ｒｅｄｉｒｅｃｔｉｏｎ）を送る。
【００４２】
一方、ｍＶｏＩＰ端末１３の電話活性化モードで、所定の時間の間、ＩＰ電話機１２または一般加入者で着信呼、発信呼またはｍＶｏＩＰ端末１３の使用者の入力が確認されないと、ＶｏＩＰ交換器１０に位置登録解除（ＤＥＲＥＧＩＳＴＥＲ）を要請し、モバイルキーパー１４にキープアライブオフを通知して、電話非活性化モードに切り替える。
【００４３】
ｍＶｏＩＰ端末１３の活性化モードで、ＩＰ電話機１２の着信要求に対してＶｏＩＰ交換器１０の通話路設定によって、ＩＰ電話機１２と正常通話をする。
【００４４】
図８は本発明の実施例によるｍＶｏＩＰ端末のバッテリーの節約方法で、ｍＶｏＩＰ端末の非活性化状態を示したフローチャートである。図４〜図８によれば、ｍＶｏＩＰ端末１３のキープアライブオンメッセージに対して、モバイルキーパー１４はＶｏＩＰ交換器１０に自動呼転送要請（３ｘｘ  Ｒｅｄｉｒｅｃｔｉｏｎ）を送って、ｍＶｏＩＰ端末１３とＩＰ電話機１２との間が電話活性されて、通話路が設定されることによって、ＩＰ電話機１２とｍＶｏＩＰ端末１３との間の通話が行われる。
【００４５】
以後、ｍＶｏＩＰ端末１３の呼解除要請信号がＶｏＩＰ交換器１０に送信されると、ＶｏＩＰ交換器１０はイーサネットスイッチ１１を通じてＩＰ電話機１２に着信加入者呼解除信号を送って、設定された通話路を解除する。
【００４６】
上記呼解除手続き後、所定時間の間、発信、着信電話または使用者入力確認手続きを行い、入力される情報がなければ、ｍＶｏＩＰ端末１３からＶｏＩＰ交換器１０にイーサネットスイッチ１１を通じて位置登録解除を要請し、モバイルキーパー１４にキープアライブオフを通知し、登録状態を終了して、電話非活性化モードに進入する。
【００４７】
一方、上記呼解除手続き後、所定時間の間発信、着信電話または使用者入力確認手続きを行い、入力される情報があれば正常呼処理を行う。
【００４８】
上記の構成のように、活性化／非活性化手段を通じて、ｍＶｏＩＰ端末は既存の周期的位置登録による常時活性化方法ではなく、発信及び着信電話活性化モード時間の間だけ可動するように構成することによって、無線端末のバッテリーの消耗を画期的に抑制することができる。
【００４９】
図９は本発明の他の一実施例によるｍＶｏＩＰ端末のバッテリーの節約システムを示す図面である。図９を参照すれば、ｍＶｏＩＰ端末のバッテリーの節約システムは、ＶｏＩＰ交換器１０、Ｌ２スィッチ１１、ＩＰ電話機１２、ｍＶｏＩＰ端末１３、モバイルキーパー１４（ＭｏｂｉｌｅＫｅｅｐｅｒ）、ＡＰＮＳ／Ｃ２ＤＭ１５及びＰＳＴＮ網１６を含む。
【００５０】
より詳しくは、ＩＰ電話機１２、ｍＶｏＩＰ端末１３及びＶｏＩＰ交換器１０は、Ｌ２スィッチ１１とそれぞれ連動され、Ｌ２スィッチ１１はＩＰ網を通じてモバイルキーパー１４と連動されるように構成されている。
【００５１】
ＶｏＩＰ交換器１０は、ソフトスイッチ、ホスト型ＩＰ−ＢＸ、ハイブリッド型ＩＰ−ＰＢＸ、プロキシを含む幅広い概念である。Ｌ２スィッチ（Ｌ２Ｓｗｉｔｃｈ）１１は２レイヤスィッチで、レイヤ２スィッチとも言う。
【００５２】
ＶｏＩＰ交換器１０はｍＶｏＩＰ端末１３のｍＶｏＩＰアプリケーションが未登録状態であれば、モバイルキーパー１４にＩＰ電話機１２から呼が引入されたという信号（ＩＮＶＩＴＥ）を送り、ＡＰＮＳ／Ｃ２ＤＭ１５を通じてｍＶｏＩＰ端末１３にプッシュメッセージを送って、ｍＶｏＩＰ端末１３をウェークアップする。
【００５３】
ＶｏＩＰ交換器１０はｍＶｏＩＰ端末１３にｍＶｏＩＰ加入者に呼が引入されたという信号（ＩＮＶＩＴＥ）を送って、通話が正常に行われるようにする機能をする。
【００５４】
一方、ＶｏＩＰ交換器１０は、ＩＰ電話機１２からＶｏＩＰ交換器１０にｍＶｏＩＰ端末１３の情報を含むパケット送信によって、ｍＶｏＩＰ端末１３の状態が未登録（Ｎｏｔ  Ｒｅｇｉ。）状態であれば、着信要請パケット（ｉｎｖｉｔｅ）をモバイルキーパー（１４）に送る機能を行う。
【００５５】
ＩＰ電話機（ＩＰＰｈｏｎｅ）１２はソフトフォン（Ｓｏｆｔ  Ｐｈｏｎｅ）を含む概念である。
【００５６】
ｍＶｏＩＰ端末１３はＥｎＳｏＰとも言う。ｍＶｏＩＰ端末１３は認証要求（Ｅｎｒｏｌｌ  Ｒｅｑｕｅｓｔ）に対してＶｏＩＰ交換器１０から認証ＯＫ通知を受けると、Ｌ２スィッチ１１を通じてＶｏＩＰ交換器１０から位置登録（ＲＥＧＩＳＴＥＲ）要請による結果としてＯＫメッセージを受信すると、モバイルキーパー１４にキープアライブ通知をする機能をする。
【００５７】
一方、ｍＶｏＩＰ端末１３はモバイルキーパー１４に認証要求（Ｅｎｒｏｌｌ  Ｒｅｑｕｅｓｔ）をし、モバイルキーパー１４から認証結果（Ｅｎｒｏｌｌ  Ｒｅｓｐｏｎｓｅ）を受信すると、認証結果に対する受諾をして、ＶｏＩＰ交換器１０に登録要求（ＲＥＧＩＳＴＥＲ）メッセージを送り、ＶｏＩＰ交換器１０から登録に対するＯＫ通知（２００ＯＫ）を受けると、モバイルキーパー１４にキープアライブメッセージを送る。
【００５８】
ｍＶｏＩＰ端末１３は着信要求（ｉｎｖｉｔｅ）を受けたｍＶｏＩＰ端末１３でＶｏＩＰ交換器１０への応答に応じて、ＩＰ電話機１２と正常に通話する。
【００５９】
モバイルキーパー１４はｍＶｏＩＰ端末１３に対してフォン認証を行うサーバーである。モバイルキーパー１４はＶｏＩＰ交換器（１０）で自動転送（呼転換）信号３０２（ｍｏｖｅｄ  Ｔｅｍｐｏｒａｒｉｌｙ）を送って呼が転換されるようにする。
【００６０】
モバイルキーパー（１４）は、プッシュメッセージ（ＰＵＳＨ  ＩＮＦＯ）をＡＰＮＳ／Ｃ２ＤＭ１５を通じてｍＶｏＩＰ端末１３に送る機能をする。
【００６１】
モバイルキーパー１４は、ＶｏＩＰ交換器１０に３０２ｍｏｖｅｄ  Ｔｅｍｐｏｒａｒｉｌｙメッセージを送って、主番号で呼転送（Ｃａｌｌ  Ｆｏｒｗａｒｄｉｎｇ）が行われるようにする機能をする。これによって、モバイルキーパー１４から３０２ｍｏｖｅｄ  Ｔｅｍｐｏｒａｒｉｌｙメッセージを受けたＶｏＩＰ交換器１０は、ｍＶｏＩＰ端末１３にＩＰ電話機１２の情報を含むパケット（ｉｎｖｉｔｅ）をｍＶｏＩＰ端末１３から応答信号を受けるまで指定された回数だけ再送信する機能をする。
【００６２】
ＡＰＮＳ／Ｃ２ＤＭ１５は、ＡＰＮＳとＣ２ＤＭを含む概念で、ＡＰＮＳはアイフォンプッシュサービス（Ａｐｐｌｅ  Ｐｕｓｈ  ＮｏｔｉｆｉｃａｔｉｏｎＳｅｒｖｉｃｅ）で、Ｃ２ＤＭはアンドロイドプッシュサービス（Ｃｌｏｕｄ  ｔｏ  Ｄｅｖｉｃｅｍｅｓｓａｇｉｎｇ）を意味する。
【００６３】
図１０は本発明の実施例によるｍＶｏＩＰ端末のバッテリーの節約方法のｍＶｏＩＰ端末１３の発信状態を示すフローチャートである。図１０を参照すれば、ｍＶｏＩＰ端末１３は電話プログラム（駆動アプリケーション）を可動して、ｍＶｏＩＰアプリケーションは、Ｌ２スィッチ１１を通じてＶｏＩＰ交換器１０に位置登録（ＲＥＧＩＳＴＥＲ）を要請する（Ｓ１１、Ｓ１２）。結果としてＯＫメッセージ（２００ＯＫ）をＶｏＩＰ交換器１０から受けると、モバイルキーパー（１４）にキープアライブオン通知をする（Ｓ１５）。
【００６４】
図１１は本発明の他の一実施例によるｍＶｏＩＰ端末のバッテリーの節約方法のｍＶｏＩＰ端末１３の着信状態を示すフローチャートである。図１１を参照すれば、ＩＰ電話機１２（一般加入者含む）から着信呼要求を受けたＶｏＩＰ交換器１０はｍＶｏＩＰ端末１３のｍＶｏＩＰアプリケーションが未登録状態であれば、モバイルキーパー１４にＩＰ電話機１２から着信呼が引入（Ｓ２１、Ｓ２２）されたという信号（ＩＮＶＩＴＥ）を送ることによって（Ｓ２３）、ＡＰＮＳ／Ｃ２ＤＭ１５を通じて、ｍＶｏＩＰ端末１３にプッシュメッセージを送ってｍＶｏＩＰアプリケーションが起動させる（Ｓ３０、Ｓ３１）。
【００６５】
一方、プッシュメッセージを受けたｍＶｏＩＰアプリケーションは、モバイルキーパー１４に認証要求（Ｅｎｒｏｌｌ  Ｒｅｑｕｅｓｔ）をし（Ｓ３２）、モバイルキーパー（１４）から認証結果（Ｅｎｒｏｌｌ  Ｒｅｓｐｏｎｓｅ）を待つ。
【００６６】
ｍＶｏＩＰ端末１３がモバイルキーパー１４から認証ＯＫ通知を受けると、ｍＶｏＩＰアプリケーションはＬ２スィッチ１１を通じてＶｏＩＰ交換器１０に位置登録（ＲＥＧＩＳＴＥＲ）を要請し（Ｓ３４、Ｓ３５）、結果としてＯＫメッセージ（２００ＯＫ）をＬ２スィッチ１１を通じて受けると、モバイルキーパー１４にキープアライブ通知を行い（Ｓ４０）、ｍＶｏＩＰ端末１３とＩＰ電話機１２との間が電話活性化状態になって通話路が設定される。
【００６７】
図１２は本発明の実施例によるｍＶｏＩＰ端末のバッテリーの節約方法におけるコール節約方法を示したフローチャートである。図１１〜図１２を参照すれば、ｍＶｏＩＰアプリケーションはＬ２スィッチ１１を通じてＶｏＩＰ交換器１０から位置登録に要請によるＯＫメッセージ（２００ＯＫ）を受けると、モバイルキーパー１４にキープアライブ通知をし、ｍＶｏＩＰ端末１３とＩＰ電話機１２との間が電話活性化された後、通話路が設定されて、ＩＰ電話機１２とｍＶｏＩＰ端末１３との間の通話が行われる。
【００６８】
以後、ｍＶｏＩＰ端末１３の呼解除要請信号がＶｏＩＰ交換器１０に送信されると（Ｓ４１、Ｓ４２）、ＶｏＩＰ交換器１０はＬ２スィッチ１１を通じてＩＰ電話機１２に着信加入者呼解除信号（Ｓ４３）を送って設定された通話路を解除する。
【００６９】
上記呼解除手続き後、所定時間の間、発信、着信電話または使用者入力確認手続きを行い、入力される情報がなければ、ｍＶｏＩＰ端末１３からＶｏＩＰ交換器１０にＬ２スィッチ１１を通じて位置登録解除を要請し（Ｓ４５、４４）、モバイルキーパー１４にキープアライブオフを知らせて登録状態を終了する。
【００７０】
上記の位置登録状態の終了によって、ｍＶｏＩＰ端末１３の位置登録のために所要されるバッテリーの消耗を節約することができる。
【００７１】
一方、上記呼解除手続き後、所定時間の間、発信、着信電話または使用者入力確認手続きを行い、入力される情報があれば正常呼処理を行う。
【符号の説明】
【００７２】
１０：ＶｏＩＰ交換器
１１：Ｌ２スィッチ、イーサネットスイッチ
１２：ＩＰ電話機
１３：ｍＶｏＩＰ端末
１４：モバイルキーパー（ＭｏｂｉｌｅＫｅｅｐｅｒ）
１５：ＡＰＮＳ／Ｃ２ＤＭ
１６：ＰＳＴＮ網
１７：アナログ電話
１８：ファックスフォン
【図１】
2013219755.tif 000003
【図２】
2013219755.tif 000004
【図３】
2013219755.tif 000005
【図４】
2013219755.tif 000006
【図５】
2013219755.tif 000007
【図６】
2013219755.tif 000008
【図７】
2013219755.tif 000009
【図８】
2013219755.tif 000010
【図９】
2013219755.tif 000011
【図１０】
2013219755.tif 000012
【図１１】
2013219755.tif 000013
【図１２】
2013219755.tif 000014